(57)【要約】      （修正有）【課題】タグボートが発光窓部に接触しても、損傷を防止できるような岸壁表示灯を提供する。【解決手段】岸壁面の横穴に埋設固定した箱体の開口正面部に、一方を蝶番で他方を螺合によって前記箱体内空を閉塞する蓋板４を開閉可能に設け、さらにこの蓋板の中央部に発光窓部８を設け、この発光窓部の後方に発光ダイオード１７を内蔵する発光機構部１０を設けた岸壁表示灯であって、複数個の巻きバネ１１が前記発光機構部を形成する基盤体１２の背面に密接するように配設され、かつ、これらの巻きバネの中空に芯２９を貫通させるとともに、前記芯を前記箱体の後面に固着させて前記巻きバネが前後に伸縮するよう構成したことを特徴とする岸壁表示灯。【選択図】図５
0003101775.tif 000002
【実用新案登録請求の範囲】
【請求項１】
岸壁面の横穴に埋設固定した箱体の開口正面部に、一方を蝶番で他方を螺合によって前記箱体内空を閉塞する蓋板を開閉可能に設け、さらにこの蓋板の中央部に発光窓部を設け、この発光窓部の後方に発光ダイオードを内蔵する発光機構部を設けた岸壁表示灯であって、複数個の巻きバネが前記発光機構部を形成する基盤体の背面に密接するように配設され、かつ、これらの巻きバネの中空に芯を貫通させるとともに、前記芯を前記箱体の後面に固着させて前記巻きバネが前後に伸縮するよう構成したことを特徴とする岸壁表示灯。
【考案の詳細な説明】
【技術分野】
【０００１】
この考案は、発光ダイオードを備えた岸壁表示灯に関する。詳しくは、発光ダイオードを備えた発光機構部の背面に巻きバネを配設して緩衝性を持たせることにより、接岸するタグボートが発光機構部の前方に位置する発光窓部に接触しても損傷を防止できるような岸壁表示灯に関するものである。
【背景技術】
【０００２】
従来、港湾や漁港の岸壁、護岸、防波堤等には、夜間における船舶等の繋留の際は、岸壁が良く見えないために岸壁に接触し、船舶と岸壁の双方を損傷することがあった。その対策として、岸壁の位置を船舶に認識させるための反射板や蛍光灯、白熱灯等の電灯や発光ダイオード等を使用した表示灯が設けられるようになった。
【０００３】
しかし、上記した反射板や電灯には、次のような課題がある。即ち、反射板にあっては、反射するための基となる光源が必要であり、また、その光が反射板そのものに投射されないとその効果は得ることができない。つまり、船舶から発するライトが反射板に投射されなければ反射板はその機能を有さず、船舶は岸壁の位置を認識することができないといいうことであり、信頼性に欠ける。
【０００４】
また、蛍光灯、白熱灯等の電灯にあっては、それ自身で発光するので船舶からの光源は必要なく、また、常時点灯していることにより岸壁が容易に認識できるので、安全性および信頼性という面において反射板より優れている。しかし、常時点灯しておかなければならないために電気代がかかる。また、風雨に曝されているため、表示灯自体の寿命が極めて短い。さらに、これらには電灯の定期的なメンテナンスが必要であり、電灯等は消耗品であるために運転維持費が必要である。
【０００５】
次に、電灯の改善策として、消費電力が少ない発光ダイオードを内蔵した表示灯がある。発光ダイオードとは、電流が流れると効率よく発光する半導体素子である。白熱灯が電気エネルギーを熱に変えてから発光しているのに対し、発光ダイオードは、電気エネルギーを直接光エネルギーに変換するので、消費電力が少なくて済む。即ち、白熱灯と違って、余計な熱が発生せず低電力で高輝度の発光が得られる。発光ダイオードは、消費電力が少ない他、長寿命であり、例え、一個が消えても多数の集合体なので、全体に影響しない等の利点がある。さらに、従来の赤色や緑色から、近年、緑色から青色に発光する高輝度の発光ダイオードが開発されてきたため用途が拡がってきた。
【０００６】
そこで、本出願人は、発光ダイオードを内蔵した表示灯に関し、先に、表示灯を岸壁の横穴に埋設固定した考案を提案している（実用新案登録文献１）。
【０００７】
【特許文献１】実公昭６４−４９０５号公報
【考案の開示】
【考案が解決しようとする課題】
【０００８】
しかしながら、上記した発光ダイオードを光源として使用した岸壁表示灯には、次のような課題がある。即ち、大型船を引いてきたタグボートが岸壁に接近する際、発光機構部の前方に位置する発光窓部に接触して傷付け、割る等の損傷を惹き起こすことがしばしばあった。
【０００９】
そこで本考案は、上記事情に鑑みてなされたもので、夜間接岸時において岸壁の位置を確認できるような信頼性を得るとともに、省エネルギー化と長寿命化の機能を備えるように工夫された岸壁表示灯を提供する。さらに、大型船を引いてきたタグボートが接岸する際、発光窓部に接触しても損傷を防止できるような岸壁表示灯を提供することを目的とする。
【課題を解決するための手段】
【００１０】
上記目的を達成するために、請求項１の考案は、岸壁面の横穴に埋設固定した箱体の開口正面部に、一方を蝶番で他方を螺合によって前記箱体内空を閉塞する蓋板を開閉可能に設け、さらにこの蓋板の中央部に発光窓部を設け、この発光窓部の後方に発光ダイオードを内蔵する発光機構部を設けた岸壁表示灯であって、複数個の巻きバネが前記発光機構部を形成する基盤体の背面に密接するように配設され、かつ、これらの巻きバネの中空に芯を貫通させるとともに、前記芯を前記箱体の後面に固着させて前記巻きバネが前後に伸縮するよう構成したことを特徴とする岸壁表示灯である。
【考案の効果】
【００１１】
本考案にかかわる岸壁表示灯によれば、大型船を引いてきたタグボートが接岸する際、発光窓部に接触しても損傷を防止できるような安全な岸壁表示灯である。しかも、発光ダイオードを光源として使用しているので消費電力は従来の白熱灯に比し著しく省エネルギー化を実現できるとともに、岸壁面に埋設しているので岸壁上面に突出する陸上タイプの如く港湾作業時の障害物にもならない等の利便性および機能性を発揮する。また、埋設しているので風雨に曝されることもなく、表示灯自体の寿命が極めて長く、日頃の保守管理および定期的なメンテナンスが容易である。
【考案を実施するための最良の形態】
【００１２】
本考案の実施の形態を、添付図面に示した本考案の実施例に基づいて以下に具体的に説明する。
【実施例】
【００１３】
先ず、本考案の実施例について、図１〜図７を参照しながら説明する。図１は、岸壁に表示灯を埋設した状態を示す説明図である。図２は、同上、岸壁に穿設した横穴に表示灯を固定した拡大横断面図である。図３は、同上、平面図である。図４は、横穴の開口側から見た表示灯の正面図である。図５は、表示灯の中央部を拡大した横断面図の一部である。図６は、発光ダイオード取付け円盤体の裏面図である。図７は、図６のＡ−Ａ線拡大断面図である。
【００１４】
本考案の実施の形態に係る岸壁表示灯は、図１に示すように、岸壁１の前面に設けられている。そして、岸壁１の前面に埋設した横穴２に発光機構部１０、発光窓部８等を備えた岸壁表示灯が固定されている。図２、図３、図４および図５に、発光機構部１０を横穴２に固定した状態を示す。図２は、同上、横断面図であり、岸壁１の前面に横穴２を刳り抜き、この横穴２の中に箱体３を固定する。箱体３は、岸壁面１の横穴２に固定した正面を開口する箱状体であって、３ｍｍ厚のステンレス板材で製作する。図２および図４に示すように、箱体３の開口正面部に、一方を蝶番５で他方をボルト３１で螺合することによって、箱体３の内空を閉塞する耐食アルミ鋳物製の蓋板４を開閉可能に設ける。図２に示すように、箱体３の内装に組み込んだステンレス製の支柱２７に蝶番５を介して蓋板４を固定し、蓋板４の他方を他方の支柱２７にボルト３１で蓋板４を螺合する。図３に示すように、箱体３の中には巻きバネ１１を四箇所設置し、この巻きバネ１１により発光機構部１０を背後から押し付けている。この巻きバネ１１は、緩衝体として作用するもので、大型船を引いてきたタグボートが岸壁に接近し、その際、岸壁表示灯の発光窓部８に接触しても損傷を防止するように作用するものである。
【００１５】
次に、発光機構部と蓋体との関係を図４および図５に示す。図５に示すように、箱体３に開閉可能に設けた蓋板４の表面には、中央部に円形の発光窓部８を設け、裏面には僅かに拡径した段付後面部９に、発光機構部１０を嵌合して、前方から着脱可能にナベネジ７により固定板２４に螺合固定している。即ち、蓋板４の開口部には、発光機構部１０を固定し、この発光機構部１０の前方に発光窓部８を設けている。なお、蓋板４と円盤体２３との間および蓋板４と支柱２７との間には、内部への海水の浸透を防止するためにパッキンを挿入している。
【００１６】
発光機構部１０の詳細は、次のような構成である。図６および図７に示すように、基盤体１２における表裏両面を貫通する発光ダイオード取付け穴１３を仮想巻込螺旋Ｍ上に多数箇穿設し、裏面においてこの仮想巻込螺旋線Ｍ間の間隙に、プラス、マイナスの両電極を一対とする二条の巻込螺旋電極１４、１５を形成している。この巻込螺旋電極は、図７に示すとおり堀溝形成して予めハンダ１６を流し込んでおき、前記取付け穴１３に表面から嵌着支持する発光ダイオード１７は全てその電極端子１８、１９を後面へ貫通させ、隣接する前記螺旋電極１４、１５にそれぞれ差渡し状に連結する。各発光ダイオード１７は、螺旋電極１４、１５に全てパラレル接続されることになる。これらの結線はまとめて箱体３の後部に設けた防水栓２５を経てケーブル２６（図２に示す）として、交流の２００ボルトから変換された直流の電圧５ボルトの電源に接続される。
【００１７】
図５および図７に示すように、この発光ダイオード１７を取付けた後、湿気など外気で悪影響を受けない様にエポキシ樹脂層２０で埋設してしまうものとする。透明アクリル板製の基盤体１２の直前に、発光ダイオード１７の突出分を保護するため全対応位置に嵌入穴２２を穿設した同径で半透明のアクリル製のスペーサ２１を重ね、さらにその前面に半透明のアクリル製の円盤体２３を重ねて三枚の重合盤体を構成している。即ち、円盤体２３、スペーサ２１および基盤体１２の三体をサラネジ６により、固定板２４に螺合し、エポキシ樹脂層２０によりこれらの背後から埋設して発光機構部１０を構成している。なお、上記した円盤体２３は、風雨や、波から発光機構部１０を保護する目的で海Ｓ側に向けて覆設されている。
【００１８】
図３および図５に示すように、複数個の巻きバネ１１は後端部が箱体３の後面２８に接し、前方の端部が基盤体１２の背面に密接するように配設される。これらの巻きバネ１１の中空には芯２９を貫通させ、この芯２９を案内棒として巻きバネ１１が前後に伸縮する。このように、発光機構部１０を形成する基盤体１２の背面は巻きバネ１１により前方へ押し付けられている。ここで、芯２９は箱体３の後面２８に固定されている。図５に示すように、芯２９の前方の穴３０は芯２９より拡径されているので、タグボートが発光窓部８に接触し場合、円盤体２３、スペーサ２１および基盤体１２の三体が、巻きバネ１１に逆らって一体となって後退する。即ち、巻きバネ１１は、前方からの衝撃に対し緩衝体としての作用をする。なお、穴３０は円盤体２３、スペーサ２１および基盤体１２の三体を同径で貫通している穴である。
【００１９】
以上のように構成され、次に作用について説明する。タグボートが接岸して発光窓部に接触しても、巻きバネが緩衝体として作用して衝撃を和らげ、発光機構部を傷付け、割る等の損傷を引き起こすことがない。また、発光ダイオードを光源として使用しているので消費電力は従来の白熱電灯に比し省エネルギー化を実現できるとともに、岸壁面に埋設したので、岸壁面に突出する陸上タイプのごとく港湾作業時の障害物にもならない利便性および機能性を発揮するなど、実用的な効果を奏する。
【産業上の利用可能性】
【００２０】
本実施例では、岸壁表示灯に発光ダイオードを使用する場合について説明した。しかし、必ずしも、岸壁表示灯に限定する必要はない。船舶等が接岸時に船舶と岸壁の相互の損傷を防止するために設置されている防舷材に岸壁表示灯を内蔵して使用するのも良い。船舶が確実に防舷材の位置を確認できるようにして、夜間接岸時において高い信頼性を得ることができる。
【図面の簡単な説明】
【００２１】
【図１】岸壁に表示灯を埋設した状態を示す説明図である。
【図２】岸壁に穿設した横穴に表示灯を固定した拡大横断面図である。
【図３】同上、平面図である。
【図４】横穴の開口側から見た表示灯の正面図である。
【図５】表示灯の中央部を拡大した横断面図ある。
【図６】発光ダイオード取付け円盤体の裏面図である。
【図７】図６のＡ−Ａ線拡大断面図である。
【符号の説明】
【００２２】
１  岸壁面
２  横穴
３  箱体
４  蓋板
５  蝶番
６  サラネジ
７  ナベネジ
８  発光窓部
９  段付後面部
１０  発光機構部
１１  巻きバネ
１２  基盤体
１３  取付け穴
１４  螺旋電極
１５  螺旋電極
１６  ハンダ
１７  発光ダイオード
１８  電極端子
１９  電極端子
２０  エポキシ樹脂層
２１  スペーサ
２２  嵌入穴
２３  円盤体
２４  固定板
２５  防水栓
２６  ケーブル
２７  支柱
２８  後面
２９  芯
３０  穴
３１  ボルト
Ｍ  仮想巻込螺旋線
Ｓ  海
【図１】
0003101775.tif 000003
【図２】
0003101775.tif 000004
【図３】
0003101775.tif 000005
【図４】
0003101775.tif 000006
【図５】
0003101775.tif 000007
【図６】
0003101775.tif 000008
【図７】
0003101775.tif 000009